(57)【要約】    【構成】携帯電話機１０は、筐体Ｃに設けられた雌型コネクタ２０に、モールド（３０）から突出したプラグ（３２）を含む雄型コネクタ２２が接続される。また、雌型コネクタ２０に雄型コネクタ２２が接続された状態では、筐体Ｃとモールド（３０）とに隙が生じる。そして、生じた隙において、雌型コネクタ２０の周囲には、モールド３０と接触する突起物（Ｔ）が設けられる。    【効果】雄型コネクタ２２がこじられることで稼働する可能性がある範囲が突起物（Ｔ）によって抑制されるため、雄型コネクタ２２のこじりによる雌型コネクタ２０の破壊を防止することができる。【選択図】図１
2013045612.tif 000002
【特許請求の範囲】
【請求項１】
筐体、
モールドから突出したプラグを含む雄型コネクタが接続される、前記筐体に設けられた雌型コネクタ、および
前記筐体に設けられ、前記モールドに接触する第１突起物を備える、電子機器。
【請求項２】
前記雌型コネクタおよび前記雄型コネクタは、ＵＳＢ規格のコネクタを含む、請求項１記載の電子機器。
【請求項３】
前記モールドに、前記筐体と接触する第２突起物が設けられている、請求項１または２記載の電子機器。
【請求項４】
前記筐体の前記雌型コネクタが設けられる面が曲面である、請求項１ないし３のいずれかに記載の電子機器。
【発明の詳細な説明】
【技術分野】
【０００１】
この発明は、電子機器に関し、特に雌型コネクタに雄型コネクタが接続される、電子機器に関する。
【背景技術】
【０００２】
コネクタを接続することが可能な、電子機器の一例が特許文献１に開示されている。特許文献１のデジタルカメラは、ＵＳＢコネクタが設けられており、ＵＳＢケーブルを介してＰＣと接続される。また、モジュラーコネクタやカールコードプラグが、過大な引張り力やねじり力による曲げモーメントにより破損することがないハンドセットとカールコードとの接続構造が特許文献２に開示されている。
【特許文献１】特開２００５−２８６６５４号公報［H04N 5/225, H04H 101:00］
【特許文献２】特開２００６−１９７４９３号公報［H04M 1/03, H04M 1/15］
【発明の概要】
【発明が解決しようとする課題】
【０００３】
ところが、特許文献１のデジタルカメラに設けられた雌型のＵＳＢコネクタに、ＵＳＢケーブルに含まれる雄型のＵＳＢコネクタが接続されると、デジタルカメラの筐体と雄型のＵＳＢコネクタに含まれるモールドとの間に隙が生じる。そして、２つのＵＳＢコネクタが接続された状態で、雌型のＵＳＢコネクタに力がかかる（こじる）と、雌型のＵＳＢコネクタが壊れてしまう可能性がある。
【０００４】
また、特許文献２に開示された技術では、モジュラーコネクタやカールコードプラグをハンドセット本体に対して相対移動可能としているため、構造が複雑になるという問題がある。
【０００５】
それゆえに、この発明の主たる目的は、新規な、電子機器を提供することである。
【０００６】
この発明の他の目的は、こじりによるコネクタ破壊を防止できる、電子機器を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、筐体、モールドから突出したプラグを含む雄型コネクタが接続される、筐体に設けられた雌型コネクタ、および筐体に設けられ、モールドに接触する第１突起物を備える、電子機器である。
【０００９】
第１の発明では、電子機器（１０：実施例において対応する部分を例示する参照符号。以下、同じ。）の筐体には、たとえばマイクロＵＳＢの雌型コネクタ（２０）が設けられる。また、モールド（３０）から突出したプラグ（３２）を含む、マイクロＵＳＢの雄型コネクタ（２０）が雌型コネクタに接続される。さらに、雌型コネクタに雄型コネクタが接続された状態では、筐体とモールドとに隙が生じる。そして、第１突起物（Ｔ）は筐体に設けられ、生じた隙において、モールドに接触するよう設けられる。
【００１０】
第１の発明によれば、雄型コネクタがこじられることで稼働する可能性がある範囲（こじり範囲）が突起物によって抑制されるため、雄型コネクタのこじりによる雌型コネクタの破壊を防止することができる。
【００１１】
第２の発明は、第１の発明に従属し、雌型コネクタおよび雄型コネクタは、ＵＳＢ規格のコネクタを含む。
【００１２】
第３の発明は、第１の発明または第２の発明に従属し、モールドに、筐体と接触する第２突起物（ＭＴ）が設けられている。
【００１３】
第３の発明でも、第１の発明と同様、雄型コネクタのこじり範囲が突起物によって抑制されるため、雄型コネクタのこじりによる雌型コネクタの破壊を防止することができる。
【００１４】
第４の発明は、筐体の雌型コネクタが設けられる面が曲面である。
【００１５】
第４の発明でも、第１の発明と同様、雄型コネクタのこじり範囲が突起物によって抑制されるため、雄型コネクタのこじりによる雌型コネクタの破壊を防止することができる。
【発明の効果】
【００１６】
この発明によれば、雄型コネクタのこじり範囲が突起物によって抑制されるため、雄型コネクタのこじりによる雌型コネクタの破壊を防止することができる。
【００１７】
この発明の上述の目的、その他の目的、特徴および利点は、図面を参照して行う以下の実施例の詳細な説明から一層明らかとなろう。
【図面の簡単な説明】
【００１８】
【図１】図１はこの発明の一実施例の携帯電話機の外観の一例を示す図解図である。
【図２】図２は図１に示す雄型コネクタの構成の一例を示す図解図である。
【図３】図３は図１に示す雄型コネクタが周辺に突起物が設けられた雌型コネクタと接続された状態の一例を示す図解図である。
【図４】図４は図１に示す雄型コネクタが周辺に突起物が設けられた雌型コネクタと接続された状態の他の一例を示す図解図である。
【図５】図５は図１に示す雄型コネクタが周辺に突起物が設けられた雌型コネクタと接続された状態のその他の一例を示す図解図である。
【図６】図６は図１に示す雄型コネクタが周辺に突起物が設けられた雌型コネクタと接続された状態のさらにその他の一例を示す図解図である。
【図７】図７は図１に示す雌型コネクタの周辺の一例を示す図解図である。
【図８】図８は図１に示す雌型コネクタにモールド突起物が設けられた雄型コネクタが接続された状態を示す図解図である。
【図９】図９は図１に示す雌型コネクタにモールド突起物が設けられた雄型コネクタが接続された状態の他の一例を示す図解図である。
【図１０】図１０は図１に示す雌型コネクタにモールド突起物が設けられた雄型コネクタが接続された状態のその他の一例を示す図解図である。
【図１１】図１１は図１に示す雌型コネクタにモールド突起物が設けられた雄型コネクタが接続された状態のさらにその他の一例を示す図解図である。
【図１２】図１２は図１に示す雌型コネクタに雄型コネクタが接続された状態の一例を示す図解図である。
【図１３】図１３は図１に示す雌型コネクタにモールド突起物が一体形成された雄型コネクタが接続された状態の一例を示す図解図である。
【図１４】図１４は図１に示す雄型コネクタが周辺に突起物が設けられた雌型コネクタと接続された状態の他の一例を示す図解図である。
【発明を実施するための形態】
【００１９】
図１を参照して、本実施例の携帯電話機１０は、ストレート型の形状をしており、平面矩形の筐体Ｃを有する。また、携帯電話機１０の筐体Ｃにはプロセッサが内蔵されており、電子機器と呼ばれることもある。
【００２０】
筐体Ｃの縦方向一方の表面には、スピーカに通じる開口ＯＰ１が設けられる。筐体Ｃの縦方向他方の表面は、マイクに通じる開口ＯＰ２が設けられる。キー入力装置１２に含まれる各キーは筐体Ｃの表面に設けられる。ディスプレイ１４は、表示面（モニタ画面）が筐体Ｃの表面から見えるように取り付けられる。また、ディスプレイ１４の表示面の上にはタッチパネル１６が設けられる。さらに、筐体Ｃの左側面には、雌型コネクタ２０が設けられる。
【００２１】
キー入力装置１２は、メニューキー、通話キーおよび終話キーなどを含む。そして、使用者が操作したキーの情報（キーデータ）はプロセッサに入力される。また、キー入力装置１２に含まれる各キーが操作されると、クリック音が鳴る。したがって、使用者は、クリック音を聞くことで、キー操作に対する操作感を得ることができる。
【００２２】
ディスプレイ１４は、筐体Ｃに内蔵された表示ドライバによって表示が制御される。また、ディスプレイ１４には、ＬＥＤを光源とするバックライトが設けられており、画像などを表示する際にＬＥＤによって照明される。
【００２３】
タッチパネル１６は、指などの物体が表面に接近して生じた電極間の静電容量の変化を検出する静電容量方式で、たとえば１本または複数本の指がタッチパネル１６に触れたことを検出する。また、タッチパネル１６は、ディスプレイ１４の上に設けられ、その画面内で、任意の位置を指示するためのポインティングデバイスである。
【００２４】
また、筐体Ｃに内蔵されるタッチパネル制御回路は、タッチパネル１６のタッチ有効範囲内で、押したり、撫でたり、触られたりするタッチ操作を検出する。そして、タッチパネル制御回路は、そのタッチ操作の位置を示す座標のデータをプロセッサに出力する。つまり、使用者は、タッチパネル１６の表面を指で、押したり、撫でたり、触れたりすることによって、操作の方向や図形などを携帯電話機１０に入力することができる。
【００２５】
なお、タッチ操作は指だけに限らず、導電体が先端に取り付けられたタッチペンなどによって行われてもよい。また、タッチパネル１６の検出方式には、表面型の静電容量方式が採用される。もっとも、タッチパネル１６の検出方式は、抵抗膜方式、超音波方式、赤外線方式および電磁誘導方式などであってもよい。
【００２６】
また、筐体Ｃには電源回路および二次電池が内蔵されており、雌型コネクタ２０は電源回路と接続される。そして、図１（Ｂ）に示すように、雌型コネクタ２０に雄型コネクタ２２が接続されると、電源回路と外部電源とがケーブル２４を介して繋がり、電源回路は二次電池の充電制御を開始する。なお、本実施例では、雌型コネクタ２０は雌型のマイクロＵＳＢコネクタであり、雄型コネクタ２２は雄型のマイクロＵＳＢコネクタである。そして、ケーブル２４はＵＳＢケーブルである。
【００２７】
たとえば、使用者は、ディスプレイ１４に表示されたダイヤルキーに対して、タッチ操作を行うことで電話番号を入力し、通話キーによって音声発信操作を行う。そして、使用者は、通話が終了すると、終話キーによって通話終了操作を行う。
【００２８】
また、使用者は、メニューキーを操作することで、ディスプレイ１４にメニュー画面を表示する。さらに、使用者は、ディスプレイ１４に表示されたソフトキーおよびメニューに対してタッチ操作を行うことで、メニューの選択や確定を行う。そして、使用者は、二次電池を充電する場合、雌型コネクタ２０に対して、ＵＳＢケーブルを介して外部電源と繋がる雄型コネクタ２２を接続する。
【００２９】
なお、筐体Ｃには、アンテナ、無線通信回路、Ａ／Ｄ変換機、Ｄ／Ａ変換機、フラッシュメモリおよびＲＡＭなども内蔵されており、これらは先述したプロセッサと接続される。
【００３０】
図２を参照して、雄型コネクタ２２はモールド３０および突出したプラグ３２を含み、モールド３０にケーブル２４が繋がっている。ここで、マイクロＵＳＢ規格において、雄型コネクタ２２のプラグ３２の奥行は、雌型コネクタ２０の奥行よりも長く設定されている。そのため、雌型コネクタ２０に雄型コネクタ２２が接続された場合、筐体Ｃとモールド６０との間に約１．０〜２．０mmの隙が生じる。その結果、雌型コネクタ２０に雄型コネクタ２２が接続された状態では、雌型コネクタ２０が雄型コネクタ２２によってこじられやすくなってしまう。特に、本実施例で採用されるマイクロＵＳＢコネクタは、上下方向（短辺方向）に対するこじり強度が高くないため、上下方向のこじりによって雌型コネクタが破壊されてしまうことがある。
【００３１】
そこで、本実施例では、筐体Ｃとモールド３０との少なくとも一方に、相手に接触する突起物Ｔを設けて、雄型コネクタ２２がこじられることで稼働する可能性がある範囲（こじり範囲）を抑制する。
【００３２】
図３（Ａ）は雌型コネクタ２０の周囲の拡大図であり、図３（Ｂ）は雌型コネクタ２０に雄型コネクタ２２が接続された状態の一例を示す図解図である。図３（Ａ）を参照して、雌型コネクタ２０の上下の筐体Ｃには、突起物Ｔ１および突起物Ｔ２が設けられる。そして、図３（Ｂ）に示すように、雌型コネクタ２０に雄型コネクタ２２が挿入されると、筐体Ｃに設けられた突起物Ｔ１および突起物Ｔ２のそれぞれがモールド３０に接触する。つまり、雄型コネクタ２２のこじり範囲が突起物によって抑制されるため、雄型コネクタ２２のこじりによる雌型コネクタ２０の破壊を防止することができる。
【００３３】
また、図４（Ａ），（Ｂ）に示すように、他の実施例では、突起物Ｔ１および突起物Ｔ２に加えて、雌型コネクタ２０の左右に、突起物Ｔ３および突起物Ｔ４を設けることで、左右のこじり範囲を抑制するようにしてもよい。また、図５（Ａ），（Ｂ）に示すように、その他の実施例では、雌型コネクタ２０を囲うように、突起物Ｔ５が設けられてもよい。つまり、突起物Ｔを１つにすることで、製造工程における突起物Ｔの形成を容易にすることができる。そして、さらにその他の実施例では、図６（Ａ），（Ｂ）に示すように、直方体の突起物Ｔ６および突起物Ｔ７が設けられてもよい。つまり、突起物Ｔの形状は山形などに限定されるものではなく、任意の形状にすることができる。
【００３４】
次に、図７を参照して、筐体Ｃには突起物Ｔを設けずに、モールド３０にモールド突起物ＭＴを設けることで、雄型コネクタ２２のこじり範囲を抑制してもよい。
【００３５】
図８（Ａ）はモールド突起物ＭＴが設けられた雄型コネクタ２２を正面から見た図解図であり、図８（Ｂ）は雌型コネクタ２０に上記雄型コネクタ２２が接続された状態を示す図解図である。図８（Ａ）を参照して、プラグ３２の上下には、モールド突起物ＭＴ１およびモールド突起物ＭＴ２が設けられる。そして、図８（Ｂ）に示すように、モールド突起物ＭＴが設けられた雄型コネクタ２２が、図７に示す雌型コネクタ２０に接続されると、モールド突起物ＭＴ１およびモールド突起物ＭＴ２のそれぞれが筐体Ｃと接触する。つまり、雄型コネクタ２２のこじり範囲がモールド突起物ＭＴによって抑制される。
【００３６】
また、上述した先の実施例と同様、図９（Ａ），（Ｂ）に示すように、他の実施例では、モールド突起物ＭＴ１，ＭＴ２に加えて、プラグ３２の左右にモールド突起物ＭＴ３およびモールド突起物ＭＴ４が設けられてもよい。さらに、その他の実施例では、図１０（Ａ），（Ｂ）に示すように、プラグ３２を囲うように、モールド突起物ＭＴ５が設けられてもよい。そして、図１１（Ａ），（Ｂ）に示すように、さらにその他の実施例では、直方体のモールド突起物ＭＴ６およびモールド突起物ＭＴ７がプラグ３２の上下に設けられてもよい。
【００３７】
次に、突起物Ｔおよびモールド突起物ＭＴが同時に設けられてもよい。たとえば、図１２（Ａ）に示すように、雌型コネクタ２０の上側に突起物Ｔ１が設けられ、図１２（Ｂ）に示すように、プラグ３２の下側にモールド突起物ＭＴ２が設けられる。この場合、図１２（Ｃ）に示すように、突起物Ｔ１がモールド３０と接触し、モールド突起物ＭＴ２が筐体Ｃと接触するため、雄型コネクタ２２のこじり範囲が突起物によって抑制される。そして、使用者がマイクロＵＳＢコネクタの差し込み方向を誤って接続しようとした場合は、突起物Ｔ１およびモールド突起物ＭＴ２が接触するため、使用者は差し込み方向を間違っていることに気づくことができる。
【００３８】
次に、図１３を参照して、モールド突起物ＭＴとモールド３０とは一体形成されてもよい。この場合でも、モールド３０において突出した部位が筐体Ｃと接触するため、雄型コネクタ２２のこじり範囲が抑制される。また、モールド突起物ＭＴとモールド３０とを一体形成することで、雄型コネクタの製造工程を単純にすることができる。
【００３９】
なお、曲面に設けられた雌型コネクタ２０に雄型コネクタ２２が接続された場合、平面に設けられた場合に比べて、雄型コネクタ２２のこじり範囲は広くなる。ところが、本実施例では、図１４に示すように曲面であっても、突起物Ｔを設けることができる。つまり、筐体Ｃの形状に関係なく、雄型コネクタ２２のこじり範囲を抑制することができる。
【００４０】
また、上記実施例は、組み合わせることが可能であり、その組み合わせについては容易に想像できるため、詳細な記述は省略する。
【００４１】
また、本実施例では、マイクロＵＳＢ規格の雌型コネクタ２０および雄型コネクタ２２について説明したが、ミニＵＳＢ規格および通常のＵＳＢ規格のコネクタであってもよい。また、ＵＳＢ規格以外にも、ＨＤＭＩ規格、ＩＥＥＥ１３９４規格および携帯電話機の専用規格などのコネクタであってもよい。
【００４２】
さらに、本実施例は、携帯電話機１０のみに限らず、いわゆるスマートフォンや、タブレット型ＰＣおよびＰＤＡなどに適用されてもよい。また、本実施例は、雌型コネクタが設けられる、電子ブック（電子書籍端末）、音楽プレーヤ、テレビ、ビデオデッキ、ディスプレイ、デスクトップ型ＰＣなど、その他の適宜な電子機器に適用されてもよい。
【符号の説明】
【００４３】
１０    …  携帯電話機
２０    …  雌型コネクタ
２２    …  雄型コネクタ
２４    …  ケーブル
３０    …  モールド
３２    …  プラグ
Ｃ    …  筐体
Ｔ１−Ｔ９    …  突起物
ＭＴ１−ＭＴ９    …  モールド突起物
【図１】
2013045612.tif 000003
【図２】
2013045612.tif 000004
【図３】
2013045612.tif 000005
【図４】
2013045612.tif 000006
【図５】
2013045612.tif 000007
【図６】
2013045612.tif 000008
【図７】
2013045612.tif 000009
【図８】
2013045612.tif 000010
【図９】
2013045612.tif 000011
【図１０】
2013045612.tif 000012
【図１１】
2013045612.tif 000013
【図１２】
2013045612.tif 000014
【図１３】
2013045612.tif 000015
【図１４】
2013045612.tif 000016